(57)【要約】【課題】可変ビットレート方式で符号化された映像データを復号化する場合に、複数ある記録画質モードのいずれを使用して記録されたデータであるかを容易に識別可能とする。【解決手段】映像信号入力端子１０１から入力された映像信号は、符号化手段１０２において符号化される。符号化手段１０２は、可変ビットレート制御手段１０３からの量子化制御パラメータを用いて符号化を行う。記録画質モード信号入力端子１０４から入力された記録画質モード信号は、ビットレート値テーブル１０５に送られ、予め用意された各記録画質モードに対応するビットレート値のテーブル情報を参照してその記録画質モードに対応するビットレート値を取り出す。このビットレート値はヘッダ情報生成手段１０６に与えられ、ヘッダ情報の所定部分に記録される。多重化手段１０７はヘッダ情報生成手段１０６からのヘッダ情報を符号化手段１０２からの映像データの所定の位置に多重する。【選択図】図１
2007281574.tif 000002
【特許請求の範囲】
【請求項１】
映像信号を可変ビットレート方式で符号化して生成された映像データと、復号時に必要な同期データおよび付加情報からなるヘッダ情報を所定の順に記録する映像記録方法であって、前記ヘッダ情報の一部に記録されるビットレート値を、複数用意された記録画質モードの中から選択された１つの記録画質モードに対応付けられた所定の値とすることを特徴とする映像記録方法。
【請求項２】
前記記録画質モードは、符号化時の平均ビットレートに応じて選択されることを特徴とする請求項１に記載の映像記録方法。
【請求項３】
映像信号を可変ビットレート方式で符号化して生成された映像データと、復号時に必要な同期データおよび付加情報からなるヘッダ情報が所定の順に記録された記録データを復号化し、映像信号を再生する映像再生方法であって、前記ヘッダ情報の一部に記録されたビットレート値を抽出し、複数用意された記録画質モードに対応して決められた所定の値と、前記ビットレート値とを比較して、記録画質モードを決定することを特徴とする映像再生方法。
【請求項４】
映像信号を可変ビットレート方式で符号化して生成された映像データと、復号時に必要な同期データおよび付加情報からなるヘッダ情報が所定の順に記録された記録データを復号化し、映像信号を再生する映像再生方法であって、前記ヘッダ情報の一部に記録されたビットレート値を抽出し、複数用意された記録画質モードに対応して決められた所定の値と、前記ビットレート値とを比較して、記録画質モードを決定し、前記記録画質モードを表す表示情報を、再生された前記映像信号に多重して表示装置へ表示することを特徴とする映像再生方法。
【請求項５】
前記記録画質モードは、符号化時の平均ビットレートに応じて選択されることを特徴とする請求項３または４に記載の映像再生方法。
【請求項６】
映像信号を可変ビットレート方式で符号化して生成された映像データと、復号時に必要な同期データおよび付加情報からなるヘッダ情報を所定の順に記録する映像記録方法であって、前記ヘッダ情報の一部に記録されるユーザーデータ領域に、記録画質モード情報を記録することを特徴とする映像記録方法。
【請求項７】
前記ユーザーデータ領域に、前記記録画質モード情報が正しく識別可能な状態で記録されていることを示す識別コードをさらに記録することを特徴とする請求項６に記載の映像記録方法。
【請求項８】
映像信号を可変ビットレート方式で符号化して生成された映像データと、復号時に必要な同期データおよび付加情報からなるヘッダ情報が所定の順に記録された記録データを復号化し、映像信号を再生する映像再生方法であって、前記ヘッダ情報の一部に記録されたユーザーデータ領域内の記録画質モード情報を抽出し、前記記録画質モード情報から複数用意された記録画質モードの１つを選択することを特徴とする映像再生方法。
【請求項９】
映像信号を可変ビットレート方式で符号化して生成された映像データと、復号時に必要な同期データおよび付加情報からなるヘッダ情報が所定の順に記録された記録データを復号化し、映像信号を再生する映像再生方法であって、前記ヘッダ情報の一部に記録されたユーザーデータ領域内の記録画質モード情報を抽出し、前記記録画質モード情報から複数用意された記録画質モードの１つを選択し、前記選択された記録画質モードを表す表示情報を、再生された前記映像信号に多重して表示装置へ表示することを特徴とする映像再生方法。
【請求項１０】
前記ユーザーデータ領域に記録された、前記記録画質モード情報が正しく識別可能な状態で記録されていることを示す識別コードが存在するかどうかを判断し、存在する場合は、前記記録画質モード情報を用いて１つの記録画質モードを選択および表示し、存在しない場合は前記記録画質モード情報を用いずにいずれの記録画質モードでもないことを認識および表示することを特徴とする請求項８または９に記載の映像再生方法。
【発明の詳細な説明】
【技術分野】
【０００１】
本発明は、記録媒体上に記録された映像データを再生するときに、各画像データが記録時にどの画質モードで記録されたかを認識し、モニターへ表示させる映像記録方法および映像再生方法に関するものである。
【背景技術】
【０００２】
近年、映像信号を高能率情報圧縮できる手法として、国際標準であるＭＰＥＧ２方式が用いられている。ＭＰＥＧ２方式では、入力画像信号をフレーム毎に、マクロブロックと呼ばれるブロック単位で、動き補償、ＤＣＴ、量子化、可変長符号化等の手段を用いて圧縮符号化を行う。
【０００３】
映像信号は、ＩＴＵ−Ｔ勧告Ｈ．２６２規格において、ビデオ・エレメンタリ・ストリームとして規定されるように、圧縮符号化された映像データ、および再生時に必要となるヘッダ情報を所定の順序で組み合わせたビットストリームとして符号化される。
【０００４】
映像データには、ＤＣＴ、量子化、可変長符号化の一連の圧縮符号化ステップを施された符号化データと動き補償で用いた動きベクトル情報等が含まれる。
【０００５】
ヘッダ情報には、同期用データや付加情報を記述したものである。一連のビット列を復号する際、通常現れない特定の長さのビット列を同期信号として定義しており、再生機器はこの同期信号を検出することにより、映像の開始点や区切りなどを検知できる。付加情報は画像の特徴を記載するものであって、画角やフレームレート、ビットレートなどが定義されている。再生機器はこの付加情報を認識して、復号、表示等を正しく行うことができる。
【０００６】
このようなＭＰＥＧ２規格に準拠した記録機器は、ＤＶＤレコーダーやカメラ一体型ＤＶＤレコーダーなど、様々な種類が存在する。
【０００７】
これらの機器は、有限容量の記録媒体上に、圧縮符号化された映像データや音声データを記録しなければならない。そこで、ＭＰＥＧ２では圧縮符号化ビットレートも変えることができることを利用して、ビットレートを高くすることにより良好な画質を得る代わりに記録時間は短いモードや、ビットレートを低くして画質を多少犠牲にしても記録時間を長時間化するモード、また、その中間のモード、など複数種類の符号化ビットレートに基づく記録画質モードを用意している機器が多い。
【０００８】
例えば、高画質モード（ＸＰ）、中程度の画質モード（ＳＰ）、低画質モード（ＬＰ）などと名付け、ユーザーが所望のモードを選択して映像信号を記録する。記録時間はＸＰ＜ＳＰ＜ＬＰとなり、ユーザーは画質と記録時間に応じて記録画質モードを選択する。
【０００９】
このような機器の使用者が、複数の記録画質モードを混在して記録したたくさんの記録映像データを再生したとき、再生映像信号の画質を見てどの画質モードを選択して記録したのかを確認できれば便利である。例えば、記録画像を他の保存用記録媒体に保存しなおすような編集作業時に、もとの記録画質モードが保存に値する画質かどうかを考慮できる。記録時の記録画質モードは再生画質を確認するための目安として使用できる。従って、再生時に記録画質モードが正しく表示されることが望まれる。
【００１０】
記録画質モードを表示するための方法が、特許文献１に記載されている。これは、記録画質モードやその他の記録時の条件などをライブラリ情報として映像データとは分離された管理データとして記録する方式である。
【００１１】
しかしながら、この方式を用いると、記録した映像データと管理データの関連性が失われた場合や、管理データ自体が壊れた場合など、画質モード情報なども喪失してしまう可能性がある。また、記録画質モードを格納するための管理データを作成する分だけ記録容量を消費してしまう。また、記録媒体へ映像データを記録するための方式によってはこのような記録画質モードを記述するための管理データが持てない場合も考え得る。その場合には、この方式が使用できない。
【００１２】
一方で、上記のような記録画質モードに関する情報を持たずとも、復号化時の単位時間当たりの平均ビットレートを計算するような方式もある。固定ビットレートで符号化された映像データであれば、このような方式であっても記録画質モードを正しく検知可能である。しかし、可変ビットレートで符号化された映像データの場合、ある記録画質モードと他の記録画質モードの単位時間当たりの平均ビットレートは、記録する画像の符号化難易度によっては見分けがつきにくくなる場合がある。そのようなときは、この方式を用いると誤った記録画質モードを表示してしまうという欠点がある。
【特許文献１】特開２００２−１５０７５４号公報
【発明の開示】
【発明が解決しようとする課題】
【００１３】
このように従来の方式では、記録画質モードを再生時に正しく表示するために、映像データとは別の管理データを作成して記録しておくため、余計な記録容量が必要となる。また、映像データとの関連性が喪失したときや管理データが壊れた場合に、記録画質モードを識別不可能になる欠点がある。また、従来の別の方式では、復号時に平均ビットレートを計測して記録画質モードを表示するので、特に可変ビットレートで符号化された映像データの場合、符号化された画像難易度によっては正しくモード判別できなくなる恐れがある。
【課題を解決するための手段】
【００１４】
本発明は、上記の課題を解決するために次のような手段を講じる。
【００１５】
請求項１による発明は、映像信号を可変ビットレート方式で符号化して生成された映像データと、復号時に必要な同期データおよび付加情報からなるヘッダ情報を所定の順に記録する映像記録方法であって、ヘッダ情報の一部に記録されるビットレート値を、複数用意された記録画質モードの中から選択された１つの記録画質モードに対応付けられた所定の値とすることを特徴とする。
【００１６】
請求項２による発明は、請求項１の発明における記録画質モードは、符号化時の平均ビットレートに応じて選択されることを特徴とする。
【００１７】
請求項３による発明は、映像信号を可変ビットレート方式で符号化して生成された映像データと、復号時に必要な同期データおよび付加情報からなるヘッダ情報が所定の順に記録された記録データを復号化し、映像信号を再生する映像再生方法であって、ヘッダ情報の一部に記録されたビットレート値を抽出し、複数用意された記録画質モードに対応して決められた所定の値と、ビットレート値とを比較して、記録画質モードを決定することを特徴とする。
【００１８】
請求項４による発明は、映像信号を可変ビットレート方式で符号化して生成された映像データと、復号時に必要な同期データおよび付加情報からなるヘッダ情報が所定の順に記録された記録データを復号化し、映像信号を再生する映像再生方法であって、ヘッダ情報の一部に記録されたビットレート値を抽出し、複数用意された記録画質モードに対応して決められた所定の値と、ビットレート値とを比較して、記録画質モードを決定し、記録画質モードを表す表示情報を、再生された映像信号に多重して表示装置へ表示することを特徴とする。
【００１９】
請求項５による発明は、請求項３または４の発明における記録画質モードは、符号化時の平均ビットレートに応じて選択されることを特徴とする。
【００２０】
請求項６による発明は、映像信号を可変ビットレート方式で符号化して生成された映像データと、復号時に必要な同期データおよび付加情報からなるヘッダ情報を所定の順に記録する映像記録方法であって、ヘッダ情報の一部に記録されるユーザーデータ領域に、記録画質モード情報を記録することを特徴とする。
【００２１】
請求項７による発明は、請求項６の発明におけるユーザーデータ領域に、記録画質モード情報が正しく識別可能な状態で記録されていることを示す識別コードをさらに記録することを特徴とする。
【００２２】
請求項８による発明は、映像信号を可変ビットレート方式で符号化して生成された映像データと、復号時に必要な同期データおよび付加情報からなるヘッダ情報が所定の順に記録された記録データを復号化し、映像信号を再生する映像再生方法であって、ヘッダ情報の一部に記録されたユーザーデータ領域内の記録画質モード情報を抽出し、記録画質モード情報から複数用意された記録画質モードの１つを選択することを特徴とする。
【００２３】
請求項９による発明は、映像信号を可変ビットレート方式で符号化して生成された映像データと、復号時に必要な同期データおよび付加情報からなるヘッダ情報が所定の順に記録された記録データを復号化し、映像信号を再生する映像再生方法であって、ヘッダ情報の一部に記録されたユーザーデータ領域内の記録画質モード情報を抽出し、記録画質モード情報から複数用意された記録画質モードの１つを選択し、選択された記録画質モードを表す表示情報を、再生された映像信号に多重して表示装置へ表示することを特徴とする。
【００２４】
請求項１０による発明は、請求項８または９の発明における、ユーザーデータ領域に記録された、記録画質モード情報が正しく識別可能な状態で記録されていることを示す識別コードが存在するかどうかを判断し、存在する場合は、記録画質モード情報を用いて１つの記録画質モードを選択および表示し、存在しない場合は記録画質モード情報を用いずにいずれの記録画質モードでもないことを認識および表示することを特徴とする。
【発明の効果】
【００２５】
以上のように本発明の映像記録方法は、記録画質モードに対応する固有の値をビットレート値として記録するので、記録画質モードのための余計な記録容量を消費しなくてよい。また、本発明の映像再生方法は、予め記録画質モードに対応したビットレート値が記述された映像データを復号化し、予め準備された固有値と記録画質モードの対応リストを用い、どのモードであるかが判別可能となるため、正しいモード識別が可能である。しかも映像データが壊れない限りは記録画質モードを判別可能である。さらに、正しくモード識別し、再生された映像信号にモード表示することができるので、ユーザーは記録画質モードを容易に識別できる。また、本発明の映像記録方法は、記録画質モード情報を映像データに付加するヘッダ情報の一部に記録するので、管理データのような映像とは別のデータファイルを必要とせず、余計な記録容量を消費しない。
【発明を実施するための最良の形態】
【００２６】
以下、本発明にかかわる映像記録方法および映像再生方法の実施の形態を図面を用いて詳細に説明する。
【００２７】
（実施の形態１）
図１は、本発明の実施の形態１の映像記録方法を適用した符号化装置の構成を示すブロック図である。図1において、１０１は映像信号入力端子、１０２は符号化手段、１０３は可変ビットレート制御手段、１０４は記録画質モード信号入力端子、１０５はビットレート値テーブル、１０６はヘッダ情報生成手段、１０７は多重化手段、１０８は映像データストリーム出力端子である。
【００２８】
このように構成された符号化装置について、以下に動作を説明する。
【００２９】
映像信号入力端子１０１から入力された映像信号は、符号化手段１０２においてＭＰＥＧ２方式で符号化される。符号化手段１０２は、可変ビットレート制御手段１０３からの量子化制御パラメータを用いて符号化を行う。可変ビットレート制御手段１０３は、記録画質モード信号入力端子１０４からのモード信号に応じビットレート値テーブル１０５からの情報に基づき平均ビットレート制御を行うとともに、映像信号入力端子１０１から入力された映像信号の符号化難易度などを解析して符号化ビットレートを可変制御する。平均ビットレート制御は、後述する多重化手段１０７からの圧縮後の映像データストリームのデータ量を計測し、目標とする平均ビットレートに近づける制御である。一方で、映像信号の符号化難易度に応じたビットレート変動も行う。このように可変ビットレート制御手段１０３は、平均ビットレート制御とビットレート変動制御の両者のレート制御のバランスを保つように稼動する。
【００３０】
次に、記録画質モード信号入力端子１０４から入力された記録画質モード信号は、ビットレート値テーブル１０５に与えられる。ビットレート値テーブル１０５では、あらかじめ用意された各記録画質モードに対応するビットレート値のテーブル情報を持っている。記録画質モード信号が与えられると、このテーブル情報から、そのモードに対応するビットレート値を取り出す。このビットレート値はヘッダ情報生成手段１０６及び可変ビットレート制御手段１０３に与えられる。
【００３１】
ヘッダ情報生成手段１０６は、符号化された映像信号に付加するヘッダ情報を生成する。ヘッダ情報には、映像信号の開始点や区切りを示す同期データや、符号化される映像信号に付随する符号化条件などを記述する付加データが含まれる。このヘッダ情報の所定の位置に、ビットレート値を記述する部分がある。その部分にビットレート値テーブル１０５から与えられたビットレート値を記述する。多重化手段１０７は、符号化手段１０２からの符号化された映像データの所定位置にヘッダ情報生成手段１０６からのヘッダ情報を多重化して、映像データストリームを生成する。生成された映像データストリームは、映像データストリーム出力端子１０８へと出力される。
【００３２】
次に、図２に上記映像データストリームのデータ構造を示す。映像データストリームはヘッダ情報と映像データとからなり、ヘッダ情報はsequence＿headerという同期データと、各種の付加情報が所定の順序で記述される。この付加情報の一部に、図示されているbit＿rate＿valueがある。bit＿rate＿valueは符号化時の最大転送レートを記述するものである。通常、可変ビットレート方式で符号化された場合、記録画質モードすなわち平均ビットレート設定が何であれ、固定の最大転送レートを記述するだけでよい。これは復号化する場合に、記録媒体からの映像データ供給の最大速度を規定するものであり、可変ビットレートの場合は、映像データ供給が不要な場合は供給を休止すればよいからである。
【００３３】
本発明では、上記bit＿rate＿valueをモードに応じて異なる値とする。
【００３４】
図３に上記ビットレート値テーブル１０５に記述されるビットレート値の一例を示す。なお、bit＿rate＿valueはbit＿rate÷４００で表される。図３では、高画質モード（ＸＰ）で９００００００ｂｐｓと設定した場合を示しており、記載するbit＿rate＿valueは２２５００となっている。可変ビットレート方式で符号化する場合には、本来、他の記録画質モードも同一の値で良いが、記録画質モードの識別のために、中程度の画質モード（ＳＰ）では２２４９９、低画質モード（ＬＰ）では２２４９８などと僅かに小さな値とする。
【００３５】
記録画質モードに応じて決まるbit＿rate＿valueは、可変ビットレート制御手段１０３に与えられ、このbit＿rate＿valueに従った可変ビットレート制御を行うものとする。具体的には、bit＿rate＿valueは、ＭＰＥＧ２規格に従ったＶＢＶバッファ制御を行う際に、ＶＢＶバッファへ転送するデータ量を規定する。可変ビットレート制御では、ＶＢＶバッファへの転送データ量が大きくても、ＶＢＶバッファサイズ上限まで満たされた場合にデータ供給を止めれば良い。よって、bit＿rate＿valueは記録時の平均ビットレートによらず最大値を規定すればよい。但し、本発明においては、記録画質モードごとにbit＿rate＿valueの値を変動させるため、ＶＢＶバッファ制御における転送データ量もモードごとに変わる。しかし、低ビットレートのモードになるほど僅かに小さな値としているので、可変ビットレート制御の動作性能を低下させる要因にはなり得ない。つまり、上記ＶＢＶバッファ制御におけるバッファへのデータ転送速度が低ビットレートになるほど僅かに遅くなるだけであり、低ビットレートになる程ＶＢＶバッファから引き抜かれるデータ量、すなわち符号化に必要とされる平均的なビットレートが小さくなるので、ＶＢＶバッファの破綻を引き起こすほどの影響は及ぼさないからである。
【００３６】
以上のように、本発明の実施の形態１の映像記録方法は、記録された映像データを再生する際に、簡単かつ正確に、記録画質モードを識別することを可能とする。
【００３７】
なお、上記説明で用いている可変ビットレート制御手段１０３の構成および動作は本発明に直接関係しないので、いかなる構成、動作を行うものであっても良い。
【００３８】
（実施の形態２）
図４は、本発明の実施の形態２の映像再生方法を適用した復号化装置の構成を示すブロック図である。図４において、２０１は映像データストリーム入力端子、２０２は分離手段、２０３はヘッダ解析手段、２０４は復号化手段、２０５はビットレート値テーブル、２０６は表示手段、２０７は映像信号出力端子である。
【００３９】
このように構成された復号化装置について、以下に動作を説明する。
【００４０】
上記実施の形態１で示される方法を用いて記録された映像データストリームは映像データストリーム入力端子２０１から分離手段２０２へと入力される。分離手段２０２は映像データストリームから映像データとヘッダ情報を分離する。ヘッダ情報には同期信号がかかれているため、ヘッダ部分を識別可能である。ヘッダ情報の中身の各種の付加情報も所定の規則に従って記載されているので分離可能である。このようにして分離された映像データは復号化手段２０４にてＭＰＥＧ２方式で復号化処理を施され、復号化された映像信号は表示手段２０６へと送られる。
【００４１】
一方、分離手段２０２で分離されたヘッダ情報はヘッダ解析手段２０３にて各種の付加情報をもとに、復号化のための様々な条件を復号化手段２０４に与える。復号化手段２０４はこれらの条件に基づき、映像データを正しく復号する。
【００４２】
次に、ヘッダ解析手段２０３で識別された各種の付加情報のうち、bit＿rate＿valueはビットレート値テーブル２０５に送られる。ビットレート値テーブル２０５は、例えば、図３で示すようなbit＿rate＿valueの値と、それに対応する記録画質モード情報とを示したテーブルを持っており、与えられたbit＿rate＿valueに応じて、対応する記録画質モード情報を取り出して、表示手段２０６へ送る。
【００４３】
表示手段２０６は、入力される映像信号を表示する動作を行う。その際、入力される記録画質モード情報を、視覚的に識別可能な文字やアイコンなどに変換して、映像信号に多重する。このような表示処理をなされた映像信号は、映像信号出力端子２０７へ出力される。
【００４４】
以上のように、本発明の実施の形態２の映像再生方法は、実施の形態１の方法で記録された映像データを再生する際に、簡単かつ正確に、記録画質モードを識別し、ユーザーに認識可能なように表示することを可能とする。
【００４５】
なお、ビットレート値テーブル２０５に準備されたbit＿rate＿valueの値以外の入力があった場合は、モード情報不明などとして、それを示す表示処理を施すことも考えられる。
【００４６】
なお、本発明を適用しない記録機器等で記録された映像データストリームを再生したとき、ビットレート値テーブル２０５に準備されたbit＿rate＿valueの値が入力された場合は、機器の識別コード等の他の付加情報と組み合わせ、本発明を適用しない記録機器であることを認識した場合は、モード情報不明などとして、それを示す表示処理を施すことも考えられる。
【００４７】
（実施の形態３）
図５は、本発明の実施の形態３の映像記録方法を適用した符号化装置の構成を示すブロック図である。図５において、３０１は映像信号入力端子、３０２は符号化手段、３０３は可変ビットレート制御手段、３０４は記録画質モード信号入力端子、３０５は画質モードデータ生成手段、３０６はヘッダ情報生成手段、３０７は多重化手段、３０８は映像データストリーム出力端子である。
【００４８】
このように構成された符号化装置について、以下に動作を説明する。
【００４９】
映像信号入力端子３０１から入力された映像信号は、符号化手段３０２においてＭＰＥＧ２方式で符号化される。符号化手段３０２は、可変ビットレート制御手段３０３からの量子化制御パラメータを用いて符号化を行う。可変ビットレート制御手段３０３は、実施の形態１で説明したものと同様な動作を行うので、説明を省略する。
【００５０】
次に、記録画質モード信号入力端子３０４から入力された記録画質モード信号は、画質モードデータ生成手段３０５に与えられる。画質モードデータ生成手段３０５では、あらかじめ用意された各記録画質モードに対応する所定の識別データを持っている。記録画質モード信号が与えられると、この所定の識別データの中からそのモードに対応する識別データを取り出す。この識別データはヘッダ情報生成手段３０６に与えられる。
【００５１】
ヘッダ情報生成手段３０６は、符号化された映像信号に付加するヘッダ情報を生成する。ヘッダ情報には、映像信号の開始点や区切りを示す同期データや、符号化される映像信号に付随する符号化条件などを記述する付加データが含まれる。このヘッダ情報の所定の位置に、ユーザーデータ領域がある。その領域に画質モードデータ生成手段３０５から与えられた識別データを記述する。多重化手段３０７は、符号化手段３０２からの符号化された映像データの所定位置にヘッダ情報生成手段３０６からのヘッダ情報を多重化して、映像データストリームを生成する。生成された映像データストリームは、映像データストリーム出力端子３０８へと出力される。
【００５２】
次に、図６に上記映像データストリームのデータ構造を示す。基本的な構造は実施の形態１で説明した図２で示す構造と同様である。図５はそのヘッダ情報の一部に記録されるユーザーデータ領域を示している。この領域に、画質モードに対応する所定の識別コードを記録する。
【００５３】
以上のように、本発明の実施の形態３の映像記録方法は、記録された映像データを再生する際に、簡単かつ正確に、記録画質モードを識別することを可能とする。
【００５４】
（実施の形態４）
図７は、本発明の実施の形態４の映像再生方法を適用した復号化装置の構成を示すブロック図である。図７において、４０１は映像データストリーム入力端子、４０２は分離手段、４０３はヘッダ解析手段、４０４は復号化手段、４０５は画質モード識別手段、４０６は表示手段、４０７は映像信号出力端子である。
【００５５】
このように構成された復号化装置について、以下に動作を説明する。
【００５６】
上記実施の形態３で示される方法を用いて記録された映像データストリームは映像データストリーム入力端子４０１から分離手段４０２へと入力される。分離手段４０２は映像データストリームから映像データとヘッダ情報を分離する。ヘッダ情報には同期信号がかかれているため、ヘッダ部分を識別可能である。ヘッダ情報の中身の各種の付加情報も所定の規則に従って記載されているので分離可能である。このようにして分離された映像データは復号化手段４０４にてＭＰＥＧ２方式で復号化処理を施され、復号化された映像信号は表示手段４０６へと送られる。
【００５７】
一方、分離手段４０２で分離されたヘッダ情報はヘッダ解析手段４０３にて各種の付加情報をもとに、復号化のための様々な条件を復号化手段４０４に与える。復号化手段４０４はこれらの条件に基づき、映像データを正しく復号する。
【００５８】
次に、ヘッダ解析手段４０３で識別された各種の付加情報のうち、ユーザーデータ領域に記録された画質モードの識別データは画質モード識別手段４０５に送られる。画質モード識別手段４０５は、与えられた識別データに対応する記録画質モード情報を取り出して、表示手段４０６へ送る。
【００５９】
表示手段４０６は、入力される映像信号を表示する動作を行う。その際、入力される記録画質モード情報を、視覚的に識別可能な文字やアイコンなどに変換して、映像信号に多重する。このような表示処理をなされた映像信号は、映像信号出力端子４０７へ出力される。
【００６０】
以上のように、本発明の実施の形態４の映像再生方法は、実施の形態３の方法で記録された映像データを再生する際に、簡単かつ正確に、記録画質モードを識別し、ユーザーに認識可能なように表示することを可能とする。
【００６１】
更に、実施の形態３において、ユーザーデータ領域に画質モードを表す識別データが利用可能な状態で存在することを示す新たな識別コードを更に付加して記録し、その記録データを実施の形態４における復号化装置で再生するようにすれば更に汎用的である。上記の新たな識別コードが存在する場合には、画質モードを上記のとおり認識して表示を行う。存在しない場合は、有効な画質モードの識別データが存在しないとして、モードの認識および表示を行わない。もしくは準備されたどの記録画質モードでもないことを表示する。
【００６２】
なお、新たな識別コードは、例えば機器の種類を特定する機器コードなどでもよい。あらかじめ登録された機器コードに合致する場合は画質モード情報を記録しており、そうでない場合は画質モード情報を記録していないと判別することができるからである。
【００６３】
以上のように構成すれば、汎用的な映像データストリームが入力されたときでも対応可能となり、正確なモード表示が可能となる。
【産業上の利用可能性】
【００６４】
以上述べたように本発明の映像記録方法および映像再生方法は、記録画質モードを再生時に正しく表示するために、映像データとは別の管理データを作成して記録しておく必要が無く、余計な記録容量を消費しない。
【００６５】
また、管理データを作成する方式のように、映像データとの関連性が喪失したときや管理データが壊れた場合に、記録画質モードを識別不可能になることもない。
【００６６】
また、管理データとして記録画質モード情報を記載できないような映像記録方式に基づく機器においても記録画質モードの識別が可能となる。
【００６７】
また、記録時の可変ビットレート制御により絵柄の符号化難易度に基づくビットレートの増減があったとしても、記録画質モードを正しく識別することが可能である。
【００６８】
以上のように複数の記録画質モードを備えた機器において、記録媒体上に記録されたたくさんの記録映像データを再生する際に、記録時の記録画質モードを正しくユーザーに表示することができる。
【図面の簡単な説明】
【００６９】
【図１】本発明の実施の形態１による映像記録方法を適用した符号化装置の構成を示すブロック図
【図２】同実施の形態１の映像ビットストリームの構造を示す模式図
【図３】同実施の形態１のビットレート値テーブルの一例を示す模式図
【図４】同実施の形態２の映像再生方法を適用した復号化装置の構成を示すブロック図
【図５】同実施の形態３の映像記録方法を適用した符号化装置の構成を示すブロック図
【図６】同実施の形態３の映像ビットストリームの構造を示す模式図
【図７】同実施の形態４の映像再生方法を適用した復号化装置の構成を示すブロック図
【符号の説明】
【００７０】
１０１、３０１    映像信号入力端子
１０２、３０２    符号化手段
１０３、３０３    可変ビットレート制御手段
１０４、３０４    記録画質モード信号入力端子
１０５    ビットレート値テーブル
１０６、３０６    ヘッダ情報生成手段
１０７、３０７    多重化手段
１０８、３０８    映像データストリーム出力端子
２０１、４０１    映像データストリーム入力端子
２０２、４０２    分離手段
２０３、４０３    ヘッダ解析手段
２０４、４０４    復号化手段
２０５    ビットレート値テーブル
２０６、４０６    表示手段
２０７、４０７    映像信号出力端子
３０５    画質モードデータ生成手段
４０５    画質モード識別手段
【図１】
2007281574.tif 000003
【図２】
2007281574.tif 000004
【図３】
2007281574.tif 000005
【図４】
2007281574.tif 000006
【図５】
2007281574.tif 000007
【図６】
2007281574.tif 000008
【図７】
2007281574.tif 000009